(57)【要約】【課題】ユーザに有益なＲＳＳフィードの内容を表示する情報処理装置、情報処理方法および情報処理プログラムを提供することを課題とする。【解決手段】ユーザからのコマンドや予め定められたタイムスケジュールに基づいて発生するトリガ等を受けると、通信網４を介して情報を発信するウェブサイト５に対し、該ウェブサイト５の更新情報のメタデータであるＲＳＳフィードの送信を要求する要求手段１７と、前記ウェブサイト５から送信された前記ＲＳＳフィードの内容を照会し、該ＲＳＳフィードの中から前記ユーザへ提供すべき情報である有益情報を抽出する抽出手段１９と、抽出された前記有益情報を表示する表示手段３と、を備える。【選択図】図１
2008112341.tif 000002
【特許請求の範囲】
【請求項１】
ユーザからのコマンドや予め定められたタイムスケジュールに基づいて発生するトリガ等を受けると、通信網を介して情報を発信するウェブサイトに対し、該ウェブサイトの更新情報のメタデータであるＲＳＳフィードの送信を要求する要求手段と、
前記ウェブサイトから送信された前記ＲＳＳフィードの内容を照会し、該ＲＳＳフィードの中から前記ユーザへ提供すべき情報である有益情報を抽出する抽出手段と、
抽出された前記有益情報を表示する表示手段と、を備える、
情報処理装置。
【請求項２】
前記情報処理装置は、ソフトウェアやデバイスのバージョン、ユーザが頻繁に閲覧する情報サイトの嗜好といった、該情報処理装置を使用するユーザや該情報処理装置を構成するデバイス等に応じた属性情報を取得する属性取得手段を更に備え、
前記ウェブサイトが送信する前記ＲＳＳフィードは、前記有益情報を抽出する際の抽出条件が定義された第一の抽出条件情報を含み、
前記抽出手段は、前記ＲＳＳフィードの内容と前記属性情報と前記第一の抽出条件情報とを照合し、該第一の抽出条件情報の抽出条件が該属性情報を満たす場合に、該第一の抽出条件情報に対応するＲＳＳフィードの内容を前記有益情報として抽出する、
請求項１に記載の情報処理装置。
【請求項３】
前記情報処理装置は、前記有益情報を抽出する際の抽出条件が定義された第二の抽出条件情報を格納した記憶手段を更に備え、
前記抽出手段は、前記ＲＳＳフィードの内容と前記第二の抽出条件情報とを照合し、該第二の抽出条件情報の抽出条件を満たす該ＲＳＳフィードの内容を前記有益情報として抽出する、
請求項１に記載の情報処理装置。
【請求項４】
ユーザからのコマンドや予め定められたタイムスケジュールに基づいて発生するトリガ等を受けると、通信網を介して情報を発信するウェブサイトに対し、該ウェブサイトの更新情報のメタデータであるＲＳＳフィードの送信を要求する要求ステップと、
前記ウェブサイトから送信された前記ＲＳＳフィードの内容を照会し、該ＲＳＳフィードの中から前記ユーザへ提供すべき情報である有益情報を抽出する抽出ステップと、
抽出された前記有益情報を表示する表示ステップと、を備える、
情報処理方法。
【請求項５】
前記情報処理方法は、ソフトウェアやデバイスのバージョン、ユーザが頻繁に閲覧する情報サイトの嗜好といった、該情報処理装置を使用するユーザや該情報処理装置を構成するデバイス等に応じた属性情報を取得する属性取得ステップを更に備え、
前記ウェブサイトが送信する前記ＲＳＳフィードは、前記有益情報を抽出する際の抽出条件が定義された第一の抽出条件情報を含み、
前記抽出ステップは、前記ＲＳＳフィードの内容と前記属性情報と前記第一の抽出条件情報とを照合し、該第一の抽出条件情報の抽出条件が該属性情報を満たす場合に、該第一の抽出条件情報に対応するＲＳＳフィードの内容を前記有益情報として抽出する、
請求項４に記載の情報処理方法。
【請求項６】
前記抽出ステップは、前記ＲＳＳフィードの内容と記憶手段に格納された前記有益情報を抽出する際の抽出条件が定義された第二の抽出条件情報とを照合し、前記第二の抽出条件情報の抽出条件を満たす該ＲＳＳフィードの内容を前記有益情報として抽出する、
請求項４に記載の情報処理方法。
【請求項７】
コンピュータに、
ユーザからのコマンドや予め定められたタイムスケジュールに基づいて発生するトリガ等を受けると、通信網を介して情報を発信するウェブサイトに対し、該ウェブサイトの更新情報のメタデータであるＲＳＳフィードの送信を要求する要求ステップと、
前記ウェブサイトから送信された前記ＲＳＳフィードの内容を照会し、該ＲＳＳフィードの中から前記ユーザへ提供すべき情報である有益情報を抽出する抽出ステップと、
抽出された前記有益情報を表示する表示ステップと、を実行させる、
情報処理プログラム。
【請求項８】
前記情報処理プログラムは、ソフトウェアやデバイスのバージョン、ユーザが頻繁に閲覧する情報サイトの嗜好といった、該情報処理装置を使用するユーザや該情報処理装置を構成するデバイス等に応じた属性情報を取得する属性取得ステップを更に実行し、
前記ウェブサイトが送信する前記ＲＳＳフィードは、前記有益情報を抽出する際の抽出条件が定義された第一の抽出条件情報を含み、
前記抽出ステップは、前記ＲＳＳフィードの内容と前記属性情報と前記第一の抽出条件情報とを照合し、該第一の抽出条件情報の抽出条件が該属性情報を満たす場合に、該第一の抽出条件情報に対応するＲＳＳフィードの内容を前記有益情報として抽出する、
請求項７に記載の情報処理プログラム。
【請求項９】
前記抽出ステップは、前記ＲＳＳフィードの内容と記憶手段に格納された前記有益情報を抽出する際の抽出条件が定義された第二の抽出条件情報とを照合し、前記第二の抽出条件情報の抽出条件を満たす該ＲＳＳフィードの内容を前記有益情報として抽出する、
請求項７に記載の情報処理プログラム。
【発明の詳細な説明】
【技術分野】
【０００１】
本発明は、情報処理装置、情報処理方法および情報処理プログラムに関する。
【背景技術】
【０００２】
今日、インターネット上のウェブサイトでは様々な情報が配信されている。ユーザは、多数のウェブサイトの中から必要なものを選択し、配信されている情報を閲覧する。また、ユーザは、気に入ったウェブサイトを定期的に閲覧し、新しく更新された情報の有無などを確認する。
【０００３】
ユーザは、常に最新情報を把握しておきたいようなウェブサイトが多数存在する場合、これら多数のウェブサイトを頻繁に閲覧し、更新された情報の有無を確認する必要がある。多数のウェブサイトを頻繁に閲覧する作業は、ユーザに多大な負担をかけると共に、通信網を流通する情報量の増大を招く。そこで、ウェブサイトを定期的に巡回し、各ウェブサイトから配信される更新情報のメタデータであるＲＳＳフィード（Ｒｉｃｈ  Ｓｉｔｅ
Ｓｕｍｍａｒｙ  Ｆｅｅｄ）のみを取得することでユーザや通信網への負担を低減する技術が提案されている。
【発明の開示】
【発明が解決しようとする課題】
【０００４】
しかし、これらの技術には次のような課題がある。すなわち、上記の技術によれば、ユーザが指定した特定のウェブサイトの情報が更新されると、更新された情報の内容の如何に関わらず一律にＲＳＳフィードが配信され、ユーザに提供される。よって、ユーザが指定したお気に入りのウェブサイトの更新情報等であっても、ユーザにとって不要な情報が混在している場合がある。例えば、ユーザが、自身が購入したパーソナルコンピュータのユーザサポート用ウェブサイトを指定しており、係るウェブサイトにソフトウェアのアップデートに関する情報が掲載された場合、ユーザが購入した機種においては使用されていないソフトウェアに関する情報であっても、係るアップデートの情報がユーザに対して一律に提供されてしまう。このように不要な更新情報が提供される都度、その情報の内容をいちいち確認する必要に迫られるため、煩わしい。
【０００５】
そこで本発明は、ユーザに有益なＲＳＳフィードの内容を表示する情報処理装置、情報処理方法および情報処理プログラムを提供することを課題とする。
【課題を解決するための手段】
【０００６】
本発明は上記の課題を解決するため、ウェブサイトから送信されるＲＳＳフィードの中からユーザへ提供すべき有益情報を抽出する。
【０００７】
詳細には、情報処理装置であって、ユーザからのコマンドや予め定められたタイムスケジュールに基づいて発生するトリガ等を受けると、通信網を介して情報を発信するウェブサイトに対し、該ウェブサイトの更新情報のメタデータであるＲＳＳフィードの送信を要求する要求手段と、前記ウェブサイトから送信された前記ＲＳＳフィードの内容を照会し、該ＲＳＳフィードの中から前記ユーザへ提供すべき情報である有益情報を抽出する抽出手段と、抽出された前記有益情報を表示する表示手段と、を備える。
【０００８】
本発明に係る情報処理装置は、通信網に接続されており、該通信網に接続されたウェブサイトと通信可能であることを前提としている。情報処理装置は、要求手段と抽出手段と表示手段とを備えており、抽出手段がウェブサイトから送信されたＲＳＳフィードの内容
を照会し、該ＲＳＳフィードの中からユーザに提供すべき有益情報を抽出する。
【０００９】
要求手段は、ユーザからのコマンドや予め定められたタイムスケジュールに基づいて発生するトリガ等を受けると、ウェブサイトに対してＲＳＳフィードの送信を行うよう要求する。ウェブサイトに対してＲＳＳフィードの送信を要求するタイミングはどのようなものであってもよく、例えば、ユーザからのコマンドによるものや１時間に一回といったタイムスケジュールに基づくものが挙げられる。ここで、ＲＳＳフィードとは、ウェブサイトが発信する情報のメタデータであり、例えば、ＲＳＳ形式で記述されたウェブサイトの更新情報等である。また、メタデータとは、ウェブサイトが発信する情報の概要に関するデータであり、例えば、更新日時、タイトル、作成者、要約といったデータである。
【００１０】
抽出手段は、ウェブサイトから送信されたＲＳＳフィードの内容を照会し、ユーザへ提供すべき有益情報を抽出する。有益情報の抽出に際しては、例えば、ユーザが予め設定したキーワードが該ＲＳＳフィードの内容中に含まれているか否かによって有益情報を抽出したり、情報処理装置を構成しているデバイスに関連する情報が該ＲＳＳフィードの内容に含まれているか否かによって抽出したりする方法が挙げられる。ここで、有益情報とは、抽出手段によってＲＳＳフィードの中から抽出された情報であり、例えば、ユーザにとって有益な情報である。
【００１１】
表示手段は、抽出手段によって抽出された有益情報をユーザに対して表示する。
【００１２】
以上により、本発明に係る情報処理装置によれば、ユーザに有益なＲＳＳフィードの内容を表示することが可能になる。
【００１３】
また、前記情報処理装置は、ソフトウェアやデバイスのバージョン、ユーザが頻繁に閲覧する情報サイトの嗜好といった、該情報処理装置を使用するユーザや該情報処理装置を構成するデバイス等に応じた属性情報を取得する属性取得手段を更に備え、前記ウェブサイトが送信する前記ＲＳＳフィードは、前記有益情報を抽出する際の抽出条件が定義された第一の抽出条件情報を含み、前記抽出手段は、前記ＲＳＳフィードの内容と前記属性情報と前記第一の抽出条件情報とを照合し、該第一の抽出条件情報の抽出条件が該属性情報を満たす場合に、該第一の抽出条件情報に対応するＲＳＳフィードの内容を前記有益情報として抽出するようにしてもよい。
【００１４】
一般的に、ウェブサイトにおいて更新される情報は、閲覧するユーザにとって必要な情報と必要でない情報とが混在している場合が多い。例えば、パソコンを購入したユーザに提供されるサポート情報の場合、「期間Ａ〜Ｂに購入されたお客様は至急アップデートを行ってください。」といった具合に、購入したパソコンの仕様やバージョン等によって必要な情報と必要でない情報とが混在している。
【００１５】
そこで、本発明に係る情報処理装置は、前述した要求手段や抽出手段や表示手段の他、属性取得手段を更に備える。また、ウェブサイトが送信するＲＳＳフィードに、第一の抽出条件情報を含める。
【００１６】
属性取得手段は、情報処理装置を使用するユーザや、情報処理装置を構成しているデバイス等に応じた属性情報を取得する。属性情報とは、抽出手段においてＲＳＳフィードの中から有益情報を抽出する際に参照されるデータであり、例えば、ユーザの使用するソフトウェアやデバイスのバージョン、ユーザが頻繁に閲覧する情報サイトの嗜好といったデータである。前述した例を元に説明すれば、「期間Ａ〜Ｂに購入されたお客様は至急アップデートを行ってください。」という内容のＲＳＳフィードの内容が送信された場合、属性取得手段は、該情報処理装置が販売された時期を取得する。なお、情報処理装置が販売
された時期は、該情報処理装置のプロパティが記録されたファイル等を参照して製造番号を取得したり、ユーザに対して購入時期の入力を求めたりして取得する方法が挙げられる。
【００１７】
ウェブサイトが送信するＲＳＳフィードには、有益情報を抽出する際の抽出条件が定義された第一の抽出条件情報が含まれる。ここで、第一の抽出条件情報とは、ウェブサイトから送信されるＲＳＳフィードと共に送信されるデータであり、例えば、該ＲＳＳフィードの内容を提供すべきユーザに関する情報やデバイスのバージョン等に関する情報である。前述した例を元に説明すれば、「期間Ａ〜Ｂに購入されたお客様は至急アップデートを行ってください。」というＲＳＳフィードの内容の場合、第一の抽出条件情報は“期間Ａ〜Ｂに購入された情報処理装置を使っているユーザに対してのみ表示する。”といった内容の抽出条件となる。
【００１８】
抽出手段は、ウェブサイトから送信されてくるＲＳＳフィードの内容と第一の抽出条件情報を受信すると、属性情報や第一の抽出条件情報の抽出条件を満たすＲＳＳフィードの内容を有益情報として索出する。前述した例を元に説明すれば、第一の抽出条件情報が“期間Ａ〜Ｂに購入された情報処理装置を使っているユーザに対してのみ表示する。”である場合に、属性情報が“本情報処理装置は時期Ａに購入された装置である。”であれば、該ＲＳＳフィードの内容をユーザに提供すべき有益情報として抽出する。
【００１９】
以上により、本発明に係る情報処理装置によれば、各ユーザに応じた適切なＲＳＳフィードの内容を表示することが可能になる。
【００２０】
また、前記情報処理装置は、前記有益情報を抽出する際の抽出条件が定義された第二の抽出条件情報を格納した記憶手段を更に備え、前記抽出手段は、前記ＲＳＳフィードの内容と前記第二の抽出条件情報とを照合し、該第二の抽出条件情報の抽出条件を満たす該ＲＳＳフィードの内容を前記有益情報として抽出するようにしてもよい。
【００２１】
前述したように、ウェブサイトにおいて更新される情報は、閲覧するユーザにとって必要な情報と必要でない情報とが混在している場合が多い。そこで、本発明に係る情報処理装置は、前述した要求手段や抽出手段や表示手段の他、第二の抽出条件情報を格納した記憶手段を更に備える。
【００２２】
第二の抽出条件情報は、前述と同様、ＲＳＳフィードの内容を抽出する際の抽出条件が定義されている。第一の抽出条件情報と第二の抽出条件情報との相違点は、第一の抽出条件情報がウェブサイトから送信されるのに対し、第二の抽出条件情報は情報処理装置に設けられた記憶手段に格納されている。従って、ウェブサイトから送信されるＲＳＳフィードの中からユーザへ提供すべき有益情報を抽出する際、情報処理装置内の記憶手段に格納された第二の抽出条件情報を参照することで、有益情報を抽出することが可能となる。また、情報処理装置内の記憶手段に第二の抽出条件情報が格納されているため、ユーザが自分の嗜好に応じて第二の抽出条件情報に定義されている抽出条件を変更することも可能である。ここで、第二の抽出条件情報とは、記憶手段に格納されているデータであり、例えば、ユーザが閲覧を希望し設定したＲＳＳフィードのカテゴリ等に関するデータである。
【００２３】
以上により、本発明に係る情報処理装置によれば、各ユーザに応じた適切なＲＳＳフィードの内容を表示することが可能になる。
【００２４】
また、本発明は方法の面からも捉えられる。すなわち、本発明は情報処理方法であって、ユーザからのコマンドや予め定められたタイムスケジュールに基づいて発生するトリガ等を受けると、通信網を介して情報を発信するウェブサイトに対し、該ウェブサイトの更
新情報のメタデータであるＲＳＳフィードの送信を要求する要求ステップと、前記ウェブサイトから送信された前記ＲＳＳフィードの内容を照会し、該ＲＳＳフィードの中から前記ユーザへ提供すべき情報である有益情報を抽出する抽出ステップと、抽出された前記有益情報を表示する表示ステップと、を備える。
【００２５】
また、本発明はプログラムの面からも捉えられる。すなわち、本発明は情報処理プログラムであって、コンピュータに、ユーザからのコマンドや予め定められたタイムスケジュールに基づいて発生するトリガ等を受けると、通信網を介して情報を発信するウェブサイトに対し、該ウェブサイトの更新情報のメタデータであるＲＳＳフィードの送信を要求する要求ステップと、前記ウェブサイトから送信された前記ＲＳＳフィードの内容を照会し、該ＲＳＳフィードの中から前記ユーザへ提供すべき情報である有益情報を抽出する抽出ステップと、抽出された前記有益情報を表示する表示ステップと、を実行させる。
【発明の効果】
【００２６】
ユーザに有益なＲＳＳフィードの内容を表示する情報処理装置、情報処理方法および情報処理プログラムを提供することが可能となる。
【発明を実施するための最良の形態】
【００２７】
以下、図面を参照して本発明の好適な実施の形態に係る情報処理装置、情報処理方法および情報処理プログラムを説明する。本実施形態は例示であり、本発明はこれらに限定されるものではない。
【００２８】
＜構成＞
図１は、本実施形態に係る情報処理装置１、及び該情報処理装置１に接続される入力装置２、出力装置３、通信網４、及びインターネットサーバ５を示す全体構成図である。図１において示すように、情報処理装置１には、ユーザからのコマンドを入力するための入力装置２、及びユーザに情報を表示する出力装置３（本発明でいう「表示手段」に相当。）が接続されている。また、情報処理装置１は通信網４に接続されており、該通信網４を介してインターネットサーバ５にアクセス可能なように構成されている。なお、図１において、インターネットサーバ５は一つのみ示されているが二つ以上のインターネットサーバ５が通信網４に接続されていてもよい。また、各インターネットサーバ５内には、それぞれ一又は二以上のウェブサイトが構築されている。
【００２９】
情報処理装置１は、ＣＰＵ、メモリ、入出力インターフェース、ハードディスク記憶装置等を備えるパーソナルコンピュータで構成されており、ＣＰＵにおいてコンピュータプログラムが実行され、ハードウェア資源が協働することにより、以下に説明する諸機能が実現される。情報処理装置１は、マイクロソフト社が提供する基本ソフトである「Ｗｉｎｄｏｗｓ  Ｖｉｓｔａ（登録商標）」をＯＳとして各アプリケーションが実行されることを前提としている。図１において示すように、情報処理装置１は、フィルタ設定処理部６やＲＳＳ情報処理部７を備える。また、情報処理装置１は、フィルタ設定処理部６やＲＳＳ情報処理部７の他、入力インターフェースであるコマンド解析部８や、出力インターフェースである画面表示処理部９、ハードディスクやＲＡＭ等で構成される記憶装置１０を備える。更に、情報処理装置１は、パソコン情報自動収集機能１１や個人情報入力機能１２、ＬＡＮ接続による通信機能１３を備える。なお、本発明に係る情報処理装置１はパーソナルコンピュータで構成されるものに限定されるものでなく、ＰＤＡや携帯電話といった携帯情報端末等により構成してもよい。また、本発明に係る情報処理装置１は、「Ｗｉｎｄｏｗｓ  Ｖｉｓｔａ（登録商標）」をＯＳとして動作することを前提としているが、本発明に係る情報処理装置１は、この基本ソフトをＯＳとするパーソナルコンピュータに限定されるものではない。
【００３０】
フィルタ設定処理部６は、ＣＰＵにおいてコンピュータプログラムが実行されることにより構成される。フィルタ設定処理部６は、情報自動収集部１４、情報入力部１５、及び情報統合処理部１６を備えており、主にインターネットサーバ５から配信されるＲＳＳフィードの中からユーザへ提供すべき情報である有益情報を抽出する際に用いる属性情報を、記憶装置１０を介してＲＳＳ情報処理部７に伝える処理を司る。
【００３１】
情報自動収集部１４は、パソコン情報自動収集機能１１から該情報処理装置１を構成する各機器やソフトウェアのバージョンといった属性情報を取得する。情報自動収集部１４は、ユーザからのコマンドや予め定められたタイムスケジュールに基づいて発生するトリガを受けると、属性情報の取得を行う。情報自動収集部１４は、例えば、ハードディスク記憶装置に関するものであれば、該ハードディスク記憶装置内に設けられているＲＯＭから、製造メーカ名、形式番号、製造番号、製造年月日といった属性情報を取得する。パソコン情報自動収集機能１１は、ＣＰＵと情報処理装置１内の各装置類とを繋ぎ、ＣＰＵからの要求に応じて情報処理装置１内の各装置から属性情報を取得する。
【００３２】
情報入力部１５は、個人情報入力機能１２からユーザが頻繁に閲覧する情報サイトの嗜好といった個人情報である属性情報を取得する。情報入力部１５は、情報自動収集部１４と同様、ユーザからのコマンドや予め定められたタイムスケジュールに基づいて発生するトリガを受けると、属性情報の取得を行う。情報入力部１５は、例えば、ユーザに対し、閲覧したいＲＳＳフィードのカテゴリを質問して入力させたり、或いはユーザが頻繁に検索サイトに入力するキーワードや、ユーザが頻繁に閲覧する情報サイトのカテゴリに関する情報を属性情報として取得したりする。個人情報入力機能１２は、ユーザに対して閲覧したいＲＳＳフィードのカテゴリを質問して入力させたり、ＷＷＷブラウザの情報サイト閲覧記録から頻繁に閲覧しているサイトのカテゴリを割り出したりする。
【００３３】
情報統合処理部１６は、情報自動収集部１４や情報入力部１５によって取得された属性情報を記憶装置１０に保存したり、画面表示処理部９に伝送して出力装置３に属性情報の内容を表示させたりする。
【００３４】
ＲＳＳ情報処理部７は、ＣＰＵにおいてコンピュータプログラムが実行されることにより構成される。ＲＳＳ情報処理部７は、ＲＳＳフィード取得部１７（本発明でいう「要求手段」に相当。）、フィルタ情報取得部１８、及び表示情報判定処理部１９（本発明でいう「抽出手段」に相当。）を備えており、主にインターネットサーバ５から配信されるＲＳＳフィードを取得し、フィルタ設定処理部６から記憶装置１０を介して伝送される属性情報を参照することにより、ＲＳＳフィードの中から有益情報を抽出する役割を司る。
【００３５】
ＲＳＳフィード取得部１７は、インターネットサーバ５から通信網４と通信機能１３を介してＲＳＳフィードを取得する。ＲＳＳフィード取得部１７は、ユーザからのコマンドや予め定められたタイムスケジュールに基づいて発生するトリガを受けると、ＲＳＳフィードの取得を行う。ＲＳＳフィード取得部１７は、ユーザによって予め指定された一又は二以上の各ウェブサイトを巡回し、各ウェブサイトに対して該ウェブサイトの更新情報のメタデータであるＲＳＳフィードの送信を要求する。そして、ＲＳＳフィード取得部１７は、インターネットサーバ５内のウェブサイトから送信されるＲＳＳフィードを取得する。なお、ウェブサイトから送信されるＲＳＳフィードと合わせて、有益情報を抽出する際の抽出条件が定義された第一の抽出条件情報が送信される。ＲＳＳフィード取得部１７は、取得したＲＳＳフィードと第一の抽出条件情報とを、フィルタ情報取得部１８を介して表示情報判定処理部１９に伝送する。
【００３６】
フィルタ情報取得部１８は、記憶装置１０に対して属性情報（フィルタ情報）を要求し、記憶装置１０内に保存されている属性情報を取得する。フィルタ情報取得部１８は、取
得した属性情報を表示情報判定処理部１９に伝送する。
【００３７】
表示情報判定処理部１９は、ＲＳＳフィード取得部１７やフィルタ情報取得部１８からＲＳＳフィードと第一の抽出条件情報と属性情報を取得すると、これらの情報を元に有益情報を抽出する。詳細には、表示情報判定処理部１９は、第一の抽出条件情報が属性情報を満たす場合に、該第一の抽出条件情報に対応するＲＳＳフィードの内容をユーザに提供すべき有益情報として抽出する。また、表示情報判定処理部１９は、第一の抽出条件情報が属性情報を満たさない場合は、該第一の抽出条件情報に係るＲＳＳフィードの内容はユーザに提供すべきでないものと判断し、有益情報として抽出しない。
【００３８】
コマンド解析部８は、入力インターフェースである。コマンド解析部８は、入力装置２から送られる信号を解析し、ユーザからのコマンドをフィルタ設定処理部６やＲＳＳ情報処理部７に伝える。
【００３９】
画面表示処理部９は、出力インターフェースである。画面表示処理部９は、フィルタ設定処理部６やＲＳＳ情報処理部７から送られる信号を解析し、出力装置３を介してユーザに各種情報を提供する。画面表示処理部９は、ＲＳＳフィードの内容を「Ｗｉｎｄｏｗｓ
Ｖｉｓｔａ（登録商標）」のサイドバー・ガジェットの情報表示スペースに表示する。
【００４０】
記憶装置１０は、ハードディスクやＲＡＭ等で構成される。記憶装置１０は、内部にローカルＤＢ（ローカルデータベース）を有しており、フィルタ設定処理部６から伝送される属性データを保存したり、ＲＳＳ情報処理部７によってウェブサイトから取得したＲＳＳフィードやウェブサイトの情報を保存したりする。
【００４１】
通信機能１３は、通信インターフェースである。通信機能１３は、通信網４とＲＳＳフィード取得部１７とを繋ぐことで、情報処理装置１が通信網４を介してインターネットサーバ５のウェブサイトにアクセス可能なようにしている。
【００４２】
なお、入力装置２はキーボードやマウス等により構成されており、コマンド解析部８を介してＣＰＵにユーザの命令を送る。また、出力装置３はディスプレイ装置により構成されており、画面表示処理部９を介してＣＰＵから送られる画像信号を映像として表示する。また、通信網４は、光ファイバーや電話回線等によって構成されるインターネット通信網である。また、インターネットサーバ５は、インターネットプロバイダや企業等が管理・運営するサーバコンピュータであり、インターネット経由でアクセスすることが可能な各種のウェブサイトを備えている。
【００４３】
また、ウェブサイトには様々な形態の情報配信サービスが存在しており、ウェブサイトの更新情報のメタデータであるＲＳＳフィードを提供しているものもあれば、提供していないものもある。そこで、本実施形態において、情報処理装置１は、ＲＳＳフィードを提供しているウェブサイトにアクセスすることを前提とする。また、ウェブサイトは、ユーザＤＢ（ユーザデータベース）を備えており、情報処理装置１を使用しているユーザのユーザ登録情報を有していることを前提とする。なお、本発明に係る情報処理装置１は、ＲＳＳフィードを提供していないウェブサイトにアクセスすることも可能である。
【００４４】
＜処理フロー＞
次に、情報処理装置１の処理フローについて説明する。図２は、情報処理装置１の処理フロー図である。情報処理装置１の処理フローについて、図２のフロー図を参照しつつ、以下に説明する。
【００４５】
ユーザは、情報処理装置１の「Ｗｉｎｄｏｗｓ  Ｖｉｓｔａ（登録商標）」のサイドバ
ー・ガジェットを起動する（Ｓ１０１）。サイドバー・ガジェットは、入力装置２のマウスを操作し、出力装置３に表示されたプログラムメニューの中から該当するプログラム名を選択することにより起動する。
【００４６】
サイドバー・ガジェットが起動されると一又は二以上のアプリケーションが実行され、出力装置３の画面上に設けられたサイドバー・ガジェット用の表示スペースにこれらアプリケーションが表示される。サイドバー・ガジェットは、ＲＳＳリーダプログラムや時刻表示プログラムを実行する。サイドバー・ガジェットは、ＲＳＳリーダプログラムが取得するＲＳＳフィードの内容や時計表示プログラムが取得する現在時刻等を表示する。
【００４７】
サイドバー・ガジェットにおいて、ＲＳＳリーダプログラムを起動すると、ＣＰＵがプログラムを実行することによりフィルタ設定処理部６やＲＳＳフィード取得部１７の各種諸機能が実現される。
【００４８】
次に、フィルタ情報取得部１８は、ユーザからのコマンドや予め定められたタイムスケジュール、或いはサイドバー・ガジェットの起動など、ウェブサイトの更新情報を取得するきっかけとなるようなトリガを受けると、記憶装置１０のローカルＤＢから属性情報（フィルタリング情報）を取得する（Ｓ１０２）。図３は、フィルタ情報取得部１８が取得した属性情報の一例を示す。図３において示す属性情報は、ＸＭＬ（Ｅｘｔｅｎｓｉｂｌｅ  Ｍａｒｋｕｐ  Ｌａｎｇｕａｇｅ）で記述されている。フィルタ情報取得部１８は、取得した属性情報を表示情報判定処理部１９に伝送する。なお、記憶装置１０のローカルＤＢに蓄積されている属性情報は、ユーザが情報処理装置１を購入した際に入力したり、情報自動収集部１４に収集させておいたりすることにより、予め蓄積されているものとする。
【００４９】
次に、ＲＳＳフィード取得部１７は、フィルタ情報取得部１８と同様、ウェブサイトの更新情報を取得するきっかけとなるようなトリガを受けると、通信機能１３や通信網４を介してインターネットサーバ５のウェブサイトからユーザ登録情報（フィルタリング情報）を取得する（Ｓ１０３）。図４は、ＲＳＳフィード取得部１７が取得したユーザ登録情報の一例を示す。図４において示すユーザ登録情報は、属性情報と同様ＸＭＬで記述されている。
【００５０】
次に、ＲＳＳフィード取得部１７は、取得したユーザ登録情報を記憶装置１０に伝送し、ローカルＤＢの情報を更新する（Ｓ１０４）。
【００５１】
次に、ＲＳＳフィード取得部１７は、インターネットサーバ５のウェブサイトに対してＲＳＳフィードを送信するよう要求し（Ｓ１０５）、ウェブサイトからＲＳＳフィードを取得する（Ｓ１０６）。なお、ＲＳＳフィード取得部１７は、ＲＳＳフィードの送信を要求する際、第一の抽出条件情報（フィルタリング情報）の送信も合わせて要求する。ＲＳＳフィード取得部１７は、ウェブサイトから取得したＲＳＳフィードと第一の抽出条件情報を表示情報判定処理部１９に伝送する。図５において、ＲＳＳフィードの内容の一例を示す。なお、図５は、ＲＳＳフィードの内容の一例を示す。また、図６は、ＲＳＳフィードの内容に添付された第一の抽出条件情報の内容の一例を示す。図５において示すＲＳＳフィードや図６において示す第一の抽出条件情報は、属性情報と同様ＸＭＬ形式で記述されている。
【００５２】
表示情報判定処理部１９は、記憶装置１０内のローカルＤＢに蓄積された属性情報や、ウェブサイトから取得したＲＳＳフィードの内容や第一の抽出条件情報を比較する（Ｓ１０７）。
【００５３】
表示情報判定処理部１９は、属性情報や第一の抽出条件情報を元に有益情報を抽出する（Ｓ１０８）。すなわち、第一の抽出条件情報に記載されている抽出条件が属性情報を満たしている場合に、該第一の抽出条件情報に係るＲＳＳフィードの内容をユーザに提供すべき有益情報として抽出する。また、第一の抽出条件情報に記載されている抽出条件が属性情報を満たしていない場合に、該第一の抽出条件情報に係るＲＳＳフィードの内容はユーザに提供する必要は無いと判断し、有益情報として抽出しない。表示情報判定処理部１９は、ユーザに提供すべきものとして抽出された有益情報を画面表示処理部９に伝送する。
【００５４】
表示情報判定処理部１９が行う、Ｓ１０８における抽出処理の具体例について、図３〜６に示す属性情報、ユーザ登録情報、ＲＳＳフィードの内容、及び第一の抽出条件情報の例を元に説明する。
【００５５】
図６に示す第一の抽出条件情報は、次のような条件を示している。
「条件１：２００７年春モデルのＦＭＶ−ＢＩＢＬＯ・ＦＭＶＣＥ５０、又は２００６年秋冬モデルのＦＭＶ−ＢＩＢＬＯ・全機種。」
「条件２：使用ＯＳが、Ｗｉｎｄｏｗｓ  Ｖｉｓｔａ  ＳＰ２。」
「条件３：ユーザ登録日が、２００６年８月１２日以前。」
【００５６】
また、図３に示す属性情報は、次のような内容を示している。
「属性１：２００７年春モデルのＦＭＶＣＥ５０Ｈ７。」
「属性２：使用ＯＳが、Ｗｉｎｄｏｗｓ  Ｖｉｓｔａ  ＳＰ２。」
「属性３：パソコン初回起動日が、２００７年２月２５日。」
【００５７】
また、図４に示すユーザ登録情報は、次のような内容を示している。
「登録情報１：ユーザ名は、富士通太郎。」
「登録情報２：ＦＭＶ−ＢＩＢＬＯ・ＦＭＶＣＥ５０。」
「登録情報３：ユーザ登録日が、２００５年１１月５日。」
【００５８】
従って、表示情報判定処理部１９は、“属性１”と“登録情報１”の内容が“条件１”を満たし、“属性２”が“条件２”を満たし、“登録情報３”が“条件３”を満たしているので、該情報処理装置１を使用するユーザに提供すべき有益情報として抽出する。
【００５９】
画面表示処理部９は、表示情報判定処理部１９から伝送されたＲＳＳフィードの内容に関するデータを取得すると、該ＲＳＳフィードの内容を出力装置３に表示させる（Ｓ１０９）。前述の例であれば、「新しく追加されたＱａｎｄＡ。次の機種のパソコンを使用しています。リカバリに必要な手順について教えてください。」という内容のＲＳＳフィードを出力装置３に表示させる。
【００６０】
ＲＳＳ情報処理部７は、ウェブサイトからＲＳＳフィードを新たに取得する必要があるか否かを判断する（Ｓ１１０）。ＲＳＳ情報処理部７は、ＲＳＳフィードの取得を継続する必要があるか否かを、ＲＳＳフィードの更新間隔を規定するタイムスケジュールやユーザからの要求の有無などで判断する。ＲＳＳ情報処理部７は、ＲＳＳフィードの再取得は必要無いと判断したら、サイドバー・ガジェットを終了する（Ｓ１１１）。一方、ＲＳＳ情報処理部は、ＲＳＳフィードを再取得する必要があると判断したら、ウェブサイトに対してＲＳＳフィードを再度要求し（Ｓ１０５）、Ｓ１０５〜１１０までの処理を繰り返す。
【００６１】
＜効果＞
以上により、本実施形態に係る情報処理装置１によれば、ユーザに有益なＲＳＳフィー
ドの内容のみを表示することが可能になる。従って、ＲＳＳリーダに多数のウェブサイトを登録しておいても、本実施形態に係る情報処理装置１によれば、ウェブサイトの更新情報のメタデータであるＲＳＳフィードのうちユーザにとって有益な内容のみが出力装置３に表示されるため、ユーザが多量な情報の提供を受けることによりバージョンアップの必要性の有無等について混乱を招く恐れが無い。このような効果は、例えば、同一名称で同一形式の製品であっても、製造時期等によって多様なバージョンのソフトウェアやデバイスを用いているパーソナルコンピュータのような製品について、バージョンアップのお知らせを行う際等に極めて多大な効果を発揮する。
【００６２】
なお、上述した情報処理装置１において、有益情報を抽出する際の抽出条件に関する情報（本発明でいう、「第一の抽出条件情報」に相当。）は、ウェブサイトから配信されることを前提としていたが、本発明はこれに限定されるものではない。すなわち、本発明は、情報処理装置１の記憶装置１０に抽出条件に関する情報（本発明でいう、「第二の抽出条件情報」に相当。）を予め格納しておいてもよい。情報処理装置１は、記憶装置１０に格納された第二の抽出条件情報に定義されている条件を満たすＲＳＳフィードの内容を抽出することで、該ＲＳＳフィードの内容を有益情報として抽出する。
【図面の簡単な説明】
【００６３】
【図１】情報処理装置の全体構成図。
【図２】情報処理装置の処理フロー図である。
【図３】属性情報の一例。
【図４】ユーザ登録情報の一例。
【図５】ＲＳＳフィードの内容の一例。
【図６】第一の抽出条件情報の内容の一例。
【符号の説明】
【００６４】
１    情報処理装置
２    入力装置
３    出力装置
４    通信網
５    インターネットサーバ
６    フィルタ設定処理部
７    ＲＳＳ情報処理部
８    コマンド解析部
９    画面表示処理部
１０    記憶装置
１１    パソコン情報自動収集機能
１２    個人情報入力機能
１３    通信機能
１４    情報自動収集部
１５    情報入力部
１６    情報統合処理部
１７    ＲＳＳフィード取得部
１８    フィルタ情報取得部
１９    表示情報判定処理部
【図１】
2008112341.tif 000003
【図２】
2008112341.tif 000004
【図３】
2008112341.tif 000005
【図４】
2008112341.tif 000006
【図５】
2008112341.tif 000007
【図６】
2008112341.tif 000008